(57)【要約】本発明は、生活用品の技術分野に関し、特に、収納ケースに関するものであり、折り畳みが可能な本体を含み、前記本体の底部に軟質素材からなる基板が設けられており、前記本体を支持するための座板をさらに含み、前記座板が取り外し可能に基板に設けられ、前記本体に前記座板をサポートするためのラグプレートが可動接続しており、かつ本発明に係る収納ケースは運搬または使わないときに、本体を容易に折り畳んで収納することができ、占用する空間が少なく、利便性及び実用性が高い。物品を展開するときに、本体内部の座板の四辺はそれぞれ本体の側辺をサポートした状態になり、本体を展開した状態になり、さらに本体が可動接続したラグプレートによって前記座板を固定する。従って座板がしっかりと基板とラグプレートの間に固定され、大幅に収納ケースが展開して利用されている際の構造の安定性を向上させ、実用性が高くなる。【選択図】2016505463.tif 000003
2016505463.tif 000002
【特許請求の範囲】
【請求項１】
収納ケースであって、
折り畳みが可能な本体を含み、
前記本体の底部に軟質素材からなる基板が設けられており、
また前記本体を支持するための座板を含み、
前記座板が取り外し可能に基板に設けられ、
前記本体に前記座板を抑えるためのラグプレートが可動状態で接続している
ことを特徴とする、収納ケース。
【請求項２】
前記本体は順次接続された前側板と、右側板と、後側板と、左側板とからなり、
かつ前記前側板と、右側板と、後側板と、左側板の底部とを基板に接続して物品を収納するための収納空間にする
ことを特徴とする請求項１に記載の収納ケース。
【請求項３】
前記前側板と、右側板と、後側板と、左側板とが板紙であり、
前記前側板と、右側板と、後側板と、左側板との接合部が、高柔軟性材料により接続される
ことを特徴とする請求項2に記載の収納ケース。
【請求項４】
向かい合わせに設置された左側板と右側板において、対称位置に折り畳み部が1つずつ設けられており、
前記左側板と右側板が前記折り畳み部に沿って内側に折り畳まれ、
前記座板の側辺と、前側板または後側板との底部とが折り畳み可能に接続され、
かつ後側板または前側板にラグプレートが接続されて、前記ラグプレートが後側板とまたは前側板とが折り畳み可能に接続される
ことを特徴とする請求項2に記載の収納ケース。
【請求項５】
互いに反対方向に設置された左側板と右側板において、
対称位置に折り畳み部が1つずつ設けられ、
前記左側板と右側板が前記折り畳み部に沿って内に折り畳まれ、
前記座板の四辺がそれぞれ本体の前側板と、右側板と、後側板と、左側板とに押し当てて接続され、
向かい合わせに設置された前側板と後側板にそれぞれ前記座板を抑えるためのラグプレートが接続されて、
前記2個ラグプレートがそれぞれ前側板と後側板とを折り畳み可能に接続する
ことを特徴とする請求項2に記載の収納ケース。
【請求項６】
前記2個のラグプレートが前側板と、後側板と接合する部位に折り目が設けられている
ことを特徴とする請求項5に記載の収納ケース。
【請求項７】
前記ラグプレートが前側板と後側板とを吸合するためのクレバークラスプをさらに含み、
前記クレバークラスプはそれぞれ2つのラグプレートに設けられた雄クレバークラスプと、それぞれ前側板と後側板との対応する位置に設けられた雌クレバークラスプとを含み、
かつ前記雄クレバークラスプと雌クレバークラスプは磁気的吸引力により吸着する
ことを特徴とする請求項6に記載の収納ケース。
【請求項８】
前記座板の一端に座板ハンドルが設けられており、
前記ラグプレートの可動側にラグプレートハンドルが設けられている
ことを特徴とする請求項１に記載の収納ケース。
【請求項９】
前記座板ハンドルとラグプレートハンドルは薄板である
ことを特徴とする請求項8に記載の収納ケース。
【請求項１０】
前記本体と嵌め合いのカバーをさらに含み、
前記カバーは取り外し可能に本体のヘッドに設けられる
ことを特徴とする請求項１〜9のいずれかに記載の収納ケース。
【発明の詳細な説明】
【技術分野】
【０００１】
本発明は、生活用品の技術分野に関し、特に収納ケースに関するものである。
【背景技術】
【０００２】
収納ケースは日常の仕事、生活、学習中でよく使われるツールセットの1つであり、それがオフィス用品、化粧品、資料ファイル、ガジェット、衣服、靴などの小物の部品を格納 (整理) しておくことによって、住まい、仕事を更に便利にして、清潔感を与える。 
【０００３】
従来の収納ケースは種類が多く、硬質材質製の収納ケースは構造体の安定性があり、物品の貯蔵に便利だが、当該種類の収納ケースは折り畳んで収納することができず、運搬または使わないときに、占用する空間が大きく、軟質素材製の収納ケースは折り畳んで収納することができるが、安定性が悪いという欠点がある。これに基づき、人々は硬質軟質素材を結合した収納ケースを開発した。当該種類の収納ケースの本体は硬質材料を用いて一体成形され、そのうえ、折り畳み式の折り線が設けられており、本体は高柔軟性材料を用いて作られるため、本体の底に取り外し可能な硬質座板が1つ設けられ、硬質座板を取り出すと、容易に収納ケースを折り畳んで収納することができる。
【０００４】
従来の折りたたみ収納ケースは、通常1個の座板と4個の側板を含み、側板の側辺は接続されて筒状を形成し、それぞれの接合部が任意の折りたたみを行い；それぞれの接合部が任意に折りたため；高柔軟性を有する基板を1つ設けて各側板の底辺を密封接続し、取り外し可能な座板が基板に設けられ；向かい合う2個の側板にそれぞれ折りたたみ部が設けられており、前記側板が折りたたみ部に沿って内に折り畳まれる。
【０００５】
前記タイプの折り畳み収納ケースは展開して使用する際に、前記座板を側板で形成された本体の内部に置いて、側板を支持するとともに堅固なキャビティが形成され、物品を収納しやすく、収納ケースを折りたたむときに、ただ座板を取り外して側板を内側に折り畳むだけで折りたたみ収納の動作が完了する。当該種類の折りたたみ収納ケースを比較的平坦な平面で使用する時には良好な効果があるが、平坦ではない例えば凸起があるところに置いた場合には側辺が放置平面と接触せず、座板のみ平面に接触する。、また、運搬中に折りたたみ式収納ケースが放置平面の支持を失ったときに、座板と基板が取り外し可能に接続されているため、座板は外力の作用によって移動するため、使用効果に影響を与える。さらに基板が反転して、側板による支持作用を失うため側板が変形しやすく、構造が不安定であり、折りたたみ収納ケースを使用することができなくなる。
【発明の概要】
【発明が解決しようとする課題】
【０００６】
本発明の目的は、従来技術の欠点を克服した収納ケースを提供することである。簡単に折り畳んで収納することができ、また展開しても使用中に構造の安定性を確保することができ、変形することがなくなる。
本発明は、下記の技術的手段によって実現される。
【課題を解決するための手段】
【０００７】
収納ケースであって、折り畳みが可能な本体を含み、前記本体の底部に軟質素材からなる基板が設けられており、また前記本体を支持するための座板を含み、前記座板が取り外し可能に基板に設けられ、前記本体に前記座板を抑えるためのラグプレートが可動状態で接続している。
【０００８】
そのうち、前記本体は順次接続される前側板と、右側板と、後側板と、左側板とからなり、また前記前側板と、右側板と、後側板と、左側板の底部も基板に接続して物品を収納するための収納空間を形成する。
【０００９】
好ましくは、前記前側板と、右側板と、後側板および左側板は板紙であり、前記前側板と、右側板と、後側板と左側板との接合部は高柔軟性材料で接続される。
【００１０】
そのうち、向かい合わせに設置された左側板と右側板において、対称位置に折り畳み部が1つずつ設けられており、前記左側板と右側板が前記折り畳み部に沿って内側に折り畳まれ；前記座板の一側辺と前側板または後側板の底部とが折り畳み可能に接続され、かつ後側板または前側板にラグプレートが接続され、前記ラグプレートが後側板と、または前側板と折り畳み可能に接続される。
【００１１】
そのうち、向かい合わせに設置された左側板と右側板において、対称位置に折り畳み部が1つずつ設けられており、前記左側板と右側板が前記折り畳み部に沿って内に折り畳まれ；前記座板の四辺がそれぞれコンテナの前側板と、右側板と、後側板と、左側板とを押し当てて接続され、向かい合わせに設置された前側板と後側板にそれぞれ前記座板を抑えるためのラグプレートが接続されており、前記2個のラグプレートがそれぞれ前側板と後側板を折り畳み可能に接続する。
そのうち、前記2個のラグプレートがそれぞれ前側板と、後側板と接合する部位に折り畳み線が設けられている。
【００１２】
より好ましくは、また前記ラグプレートが前側板と後側板とを吸着するためのクレバークラスプと、前記クレバークラスプがそれぞれ2個のラグプレートに設けられる雄クレバークラスプと、それぞれ前側板と後側板との対応する位置に設けられた雌クレバークラスプを含み、かつ前記雄クレバークラスプと雌クレバークラスプは磁力によって吸着し合う。
より一層好ましくは、前記座板の端に座板ハンドルが設けられており、前記ラグプレートの可動側にラグプレートハンドルが設けられている。
前記座板ハンドルとラグプレートハンドルは薄板である。
【００１３】
特に好ましくは、前記本体に対応するカバーを含み、前記カバーには取り外し可能なカバーが本体のヘッドに設けられる。
【発明の効果】
【００１４】
本発明は現有技術に比べて、有益な技術的効果がある。本発明に係る収納ケースは運搬または使わないときに、本体を容易に折り畳んで収納することができ、占用する空間が少なく、利便性及び実用性が高く;物品を使用するときに、本体内部の座板の四辺をそれぞれ本体の側辺と当接して、コンテナを展開した状態になり、さらに本体が可動状態で接続したラグプレートによって前記座板を抑えて固定する。従って座板がうまく基板やラグプレートとの間に固定され、たとえ本発明に係る収納ケースを凹凸のある場所に置いても座板の安定性を確保することができ、不均一な応力により座板の位置の移動、反転などの現象が発生せず、収納ケースを展開して利用する時に構造の安定性を大幅に向上させ、実用性が高くなる。 
【図面の簡単な説明】
【００１５】
【図１】本発明の第１実施例に係るラグプレートと座板の展開中の状態を示す構造の模式図である。
【図２】本発明の第2実施例に係るラグプレートの展開中の状態を示す構造の模式図である。
【図３】本発明の第2実施例に係るラグプレートの展開中の状態を示す分解構造の模式図である。
【図４】本発明の第2実施例に係るラグプレートが抑えている状態を示す上面図である。
【図５】本発明の第3実施例に係るラグプレートが展開中の状態を示す分解構造の模式図である。
【図６】本発明の第4実施例を示す構造の模式図である。
【図７】本発明の第4実施例に係るラグプレートが展開中の状態を示す分解構造の模式図である。
【図８】本発明の第4実施例に係るコンテナが折りたたみ中の状態を示す分解構造の模式図である。
【図９】本発明の第4実施例に係る収納ケースが折りたたみ中の状態を示す分解構造の模式図である。
【発明を実施するための形態】
【００１６】
下記、添付図面を参照して本発明をより詳細に説明する。
【実施例１】
【００１７】
（図１参照）、それは収納ケースであって、折りたたみが可能な本体を含み、前記本体1の底部に軟質素材からなる基板2が設けられており、また前記本体1を支える座板3を含み、前記座板3が基板2に取り外し可能に設けられ、前記本体1に前記座板3をサポートするためのラグプレート4が可動状態で接続している。
【００１８】
具体的には、本実施例の収納ケースにおいて、座板3と前記座板3を抑えるラグプレート4を含み、向かい合わせに設置された左側板14と右側板12において、対称位置に折りたたみ部5が1つずつ設けられ、前記左側板14と右側板12が前記折りたたみ部5に沿って内側に折り畳まれる。
【００１９】
前記座板3の一側辺と前側板11または後側板13の底部とが折り畳み可能に接続され、かつ後側板13または前側板11にラグプレート4が接続されて、前記ラグプレート4が後側板13または前側板11と折り畳み可能に接続される。
【００２０】
前記座板3とラグプレート4がそれぞれ本体1の向かい合う両側板に折り畳み可能に接続され、展開して利用される状態で、前記座板3が平行に前記基板2の表面に置かれて、ラグプレート4と座板3の可動側が抑えられた状態になることによって、座板3を基板2やラグプレート4との間に固定する。本発明は、構造が簡単であり、収納ケースを容易に折り畳んで収納することができ、収納ケースが展開して利用される状態での構造的な堅牢性を確保でき、実用性が高くなり；前記座板3の側辺が本体1と接続され、座板3の紛失を有効に防止できる。
【実施例２】
【００２１】
（図2〜図4 参照）、本実施例と実施例1の区別は、本実施例に係る座板3が前記本体1と 取り外し可能に接続し、前記座板3がコンテナ1から取り出し可能であり、展開して利用される状態での座板3の四辺がそれぞれ本体1との側辺に当接する。
【００２２】
具体的には、収納ケースを使用して物品を入れるときには、前記座板3を平行に本体1の内の前記基板2の表面に置いて、前記座板3の四辺がそれぞれ本体1の前側板11と、右側板12と、後側板13と、左側板14に当接するため、本体1が展開された状態になり、さらに本体1に可動状態で接続されたラグプレート4により前記座板3が固定され、従って座板3がうまく基板2やラグプレート4の間に固定される。本発明に係る収納ケースを凹凸の場所に置いても、座板3の安定性も確保することができ、不均一な応力により座板3の位置の移動、反転などの現象が生じず、収納ケースが展開されて利用する時の構造の安定性を大幅に向上させ、実用性が高くなる。
【００２３】
運搬中または使わないときには、本発明に係る収納ケースを折り畳んで収納することができる。まず前記ラグプレート4を上、外へ向けて折り畳んで、座板3を取り出してからラグプレート4を元の位置に折り畳んで戻して本体1の側辺の内側に貼り付けることによって本体1を容易に折り畳んで収納することができ、占用する空間を減らすことによって、収納ケースの運搬または保管を便利にすることができる。
【００２４】
一方、収納ケースが展開された状態になり、前記座板3が本体1の側辺の内側にうまく貼り付けられて、本体1の側辺を支持して、本体1の側板の強度を高め、外力を受ける時の抵抗力が上昇し、更に本発明に係る収納ケースの構造安定性を向上させる。
【００２５】
前記基板2がそれぞれ本体1の側壁に接続され、使用中に、前記基板2が座板3を支えて固定し、好ましくは、高柔軟性材料を用いることによって、折り畳み操作に耐えることができて破損の現象が現われないようにすることができる。
【００２６】
そのうち、前記本体1は順次接続される前側板11と、右側板12と、後側板13と、左側板14とからなり、また前記前側板11と、右側板12と、後側板13と、左側板14の底部はそれぞれ前記基板2と接続し、前記前側板11が、右側板12と、後側板13と、左側板14と基板2と物品を収納する収納空間を形成する。
【００２７】
好ましくは、前記前側板11と、右側板12と、後側板13および左側板14は板紙であり、板紙は軽くて持ち運びやすいだけではなく、無色、無臭でコストが低いため経済性と実用性を兼備する。前記前側板11と、右側板12と、後側板13と左側板14とが接合する部位は高柔軟性材料で接続される。高柔軟性の材料は折り畳みの操作に耐えて破損の現象が現われないため本発明に係る収納ケースの使用寿命を向上する。
【００２８】
更に、前記前側板11と、右側板12と、後側板13および左側板14は2層板紙から構成され、前記2層板紙が貼付けられて複合化することによって前側板11と、右側板12と、後側板13および左側板14の構造の強度を高めただけでなく、前記基板2を2層板紙の中間の隙間に接続して、前記基板2をそれぞれ前側板11と、右側板12と、後側板13および左側板14とに容易に接続し、基板2との接続の堅牢性を高めただけでなく、本発明に係る収納ケースの外観も綺麗になり、マーケティングの推進に有効である。
【００２９】
互いに反対方向に設置された左側板14と右側板12において、対称位置に折り畳み部5が1つずつ設けられており、前記左側板14と右側板12が前記折り畳み部5に沿って内側に折り畳まれて本体1を折り畳んで収納することで操作が簡単になり、体積が小さくなる；
【００３０】
向かい合わせに設置された前側板11と後側板13にそれぞれラグプレート4が設けられており、前記2個のラグプレート4がそれぞれ前側板11と後側板13とを折り畳み可能に接続する。前記本体1を展開したときに、前側板11と後側板13の2個のラグプレート4により両側から前記座板3をサポートした場合、座板3の取付の堅牢性を更に高める。
【００３１】
そのうち、前記2個のラグプレート4がそれぞれ前側板11と、後側板13と接合する部位に折り目6が設けられ、当該折り目6により簡単にラグプレート4が内また外へ折りたたまれるので、実用性が高くなる。
【００３２】
より一層好ましくは、前記座板3の一端に座板ハンドル9が設けられており、本発明に収納ケースが展開されたときに、前記座板3の四辺がそれぞれ本体1の側辺に当接するように水平に基板2の上に置かれ、当該座板ハンドル9が座板3の辺縁にうまく接着されて外側に露出するため、当該座板ハンドル9により座板3を引き出しやすい。前記ラグプレート4の可動側にラグプレートハンドル10が設けられており、ラグプレート4を引っぱって折り畳みやすい。
【００３３】
そのうち、座板ハンドル9、ラグプレートハンドル10はある程度の柔軟性を有する薄板であるため、引っ張り出しやすく、本体の内部空間を占用することもない。
本実施例に係る座板と本体を分離することができるため、加工しやすく、生産効率が高く、コストが低減できる。
【実施例３】
【００３４】
（図5 参照）、本実施例は、実施例2と以下の点で区別される。すなわち、前記ラグプレート4が前側板11と後側板13とを吸着するクレバークラスプを含み、前記クレバークラスプがそれぞれ2個のラグプレート4に設けられる雄クレバークラスプ7と、およびそれぞれ前側板11と後側板13との対応する位置に設けられた雌クレバークラスプ8を含み、前記雄クレバークラスプ7と雌クレバークラスプ8は、磁気的吸引力により吸着され、前記雄クレバークラスプ7と雌クレバークラスプ8は相互に吸引する磁石が好ましい。本発明は展開されたときに、前記クレバークラスプが前記2個のラグプレート4のそれぞれ前側板と前側板11と、後側板13と緊密に吸合するように設置することによって、ラグプレート4の座板3に対する堅牢度を高め、ラグプレート4が勝手に反転して機能しなくなることを防止し、さらに本発明に係る収納ケースの構造の安定性を向上させる。
本実施例で説明されていない技術的特徴要件については、実施例2の説明の記載により、省略する。
【実施例４】
【００３５】
（図6〜図9参照）、本実施例は、実施例2と以下の点で区別される。
前記本体1のカバー15を含み、前記カバー15は取り外し可能な状態で本体1のトップに設けられ、前記カバー15のサイズは本体1のサイズより大きいため、本体1のトップをカバーして本体1の内部からほこりなどの侵入を防止することができ、本発明に係る収納ケースの清潔な状態を維持できる。
【００３６】
（図7〜図8参照）、図7に記載の矢印方向に沿って前記本体1の側辺を内へ折りたたんで、本体1と座板3をカバー15の内に水平に置いて占用する空間を減らし、包装、携帯、運搬、 保管しやすくする。
本実施例で説明されていない技術的特徴要件については、実施例2の説明の記載により、省略する。
【００３７】
なお、ここで説明すべき点は、上記した実施例は本発明の技術方案を説明したものである、本発明の保護範囲をこれらにのみ限定するということは認められない。本発明の最適な実施例を説明したものであり、当業者は、本発明の技術方案に補正または均等置換を行っても、本発明の技術的解決策の実質および範囲から逸脱することはないと理解すべきである。
【符号の説明】
【００３８】
1 本体
2 基板
3座板
4 ラグプレート
5折りたたみ部
6 折り目
7雄クレバークラスプ
8 雌クレバークラスプ
9座板ハンドル
10 グプレートハンドル
11前側板
12右側板
13後側板
14左側板
15カバー。
【図１】
2016505463.tif 000004
【図２】
2016505463.tif 000005
【図３】
2016505463.tif 000006
【図４】
2016505463.tif 000007
【図５】
2016505463.tif 000008
【図６】
2016505463.tif 000009
【図７】
2016505463.tif 000010
【図８】
2016505463.tif 000011
【図９】
2016505463.tif 000012
【国際調査報告】
2016505463.tif 000013
2016505463.tif 000014
2016505463.tif 000015
2016505463.tif 000016
2016505463.tif 000017
2016505463.tif 000018